(57)【要約】      （修正有）【課題】携帯電子機器の動作可能時間を長期化させるために二次電池を搭載し、携帯電子機器内の内蔵電池と二次電池の充電時間を短縮化し、充電回路の簡易化による小型軽量化及びコストの低減化を実現する。【解決手段】外部から直流電圧Ｖ１を受電する第１のコネクタ手段１１と、直流電圧Ｖ１よりも所定値低い直流電圧Ｖ２を生じさせる電圧降下手段１２と、電圧降下手段１２の出力側に一方の端子が接続された電流制限抵抗手段１３と、電流制限抵抗手段１３の他方の端子に接続された二次電池１４と、電流制限抵抗手段１３の他方の端子に接続され、直流電圧Ｖ２を降圧して携帯電子機器２の内蔵電池を充電させるために必要な直流電圧Ｖ３を発生する安定化電源手段１５と、携帯電子機器２が備えるコネクタに嵌合して安定化電源手段１５の出力電圧を携帯電子機器２に供給する第２のコネクタ手段１６と、を備える。【選択図】図１
2007089309.tif 000002
【特許請求の範囲】
【請求項１】
携帯電子機器の内蔵電池を充電する充電器であって、
外部から第１の値の直流電圧を受電する第１のコネクタ手段と、
前記第１の値の直流電圧から所定値だけ低い第２の値の直流電圧を生じさせる電圧降下手段と、
前記電圧降下手段の出力側に一方の端子が接続された電流制限抵抗手段と、
前記電流制限抵抗手段の他方の端子に接続された二次電池と、
前記電流制限抵抗手段の他方の端子に接続され、前記第２の値の直流電圧を降圧して前記携帯電子機器の内蔵電池を充電させるために必要な第３の値の直流電圧を発生する安定化電源手段と、
前記携帯電子機器が備えるコネクタに嵌合し、前記安定化電源手段の出力電圧を前記携帯電子機器に供給する第２のコネクタ手段と、
の各手段を備えたことを特徴とする携帯電子機器用充電器。
【請求項２】
携帯電子機器の内蔵電池を充電するＡＣアダプタ型の充電器であって、
商用電源を第１の値の直流電圧に変換するインバータ手段と、
前記第１の値の直流電圧から所定値だけ低い第２の値の直流電圧を生じさせる電圧降下手段と、
前記電圧降下手段の出力側に一方の端子が接続された電流制限抵抗手段と、
前記電流制限抵抗手段の他方の端子に接続された二次電池と、
前記電流制限抵抗手段の他方の端子に接続され、前記第２の値の直流電圧を降圧して前記携帯電子機器の内蔵電池を充電させるために必要な第３の値の直流電圧を発生する安定化電源手段と、
前記携帯電子機器が備えるコネクタに嵌合し、前記安定化電源手段の出力電圧を前記携帯電子機器に供給する第２のコネクタ手段と、
の各手段を備えたことを特徴とする携帯電子機器用充電器。
【請求項３】
前記電圧降下手段は、順方向に接続された１又は複数のダイオードにより構成されたことを特徴とする請求項１又は２に記載の携帯電子機器用充電器。
【請求項４】
前記電流制限抵抗手段の抵抗値は、前記二次電池のフル充電時における充電電流の値が当該二次電池の最大許容充電電流値の１０分の１以下になるように設定されることを特徴とする請求項１又は２に記載の携帯電子機器用充電器。
【請求項５】
前記安定化電源手段は、その出力電流が前記携帯電子機器の内蔵電池の最大許容充電電流値以下になるように過電流防止回路を備えることを特徴とする請求項１又は２に記載の携帯電子機器用充電器。
【請求項６】
前記安定化電源手段は、前記携帯電子機器の内蔵電池の定格電圧の値に対応して、三端子安定化電圧出力素子と、当該三端子安定化電圧出力素子のグラウンド端子及びグラウンド線の間に接続されたダイオード手段と、から構成されたことを特徴とする請求項５に記載の携帯電子機器用充電器。
【請求項７】
前記第２の値の直流電圧と前記第３の値の直流電圧間には、充電電流の有無を視覚的にモニターする充電モニター手段が接続されることを特徴とする請求項１又は２に記載の携帯電子機器用充電器。
【請求項８】
前記充電モニター手段は、発光ダイオードと当該発光ダイオードに流れる電流を制限するための抵抗とにより構成されることを特徴とする請求項７に記載の携帯電子機器用充電器。
【請求項９】
前記第１の値の直流電圧はＤＣ９．０Ｖ（定格値）であり、前記第２の値の直流電圧はＤＣ７．２Ｖ（定格値）であり、前記第３の直流電圧はＤＣ５．４Ｖ（定格値）であることを特徴とする請求項４に記載の携帯電子機器用充電器。
【請求項１０】
前記二次電池のフル充電時の定格電圧値がＤＣ７．０Ｖの場合、前記電流制限抵抗手段は、１Ωの抵抗素子であることを特徴とする請求項９に記載の携帯電子機器用充電器。
【発明の詳細な説明】
【技術分野】
【０００１】
本発明は、携帯電話機、携帯型情報端末装置、ＭＤ、ＣＤを含む各種オーディオ装置等の携帯型電子機器の内蔵電池を充電する充電器に関する。
【背景技術】
【０００２】
携帯電話機等の携帯型電子機器は、移動中での使用を可能にするために電池が内蔵されている。電池には、充電不可能なことから１回限りの使用で廃棄しなければならない一次電池と、繰り返し充電可能な二次電池とに分類されるが、このような携帯型電子機器に内蔵される電池は、多くの場合、その利便性と環境保護等の観点から、ニッケル水素電池、リチウムイオン電池、ニッケルカドニウム電池等の繰り返して充電可能な二次電池が使用される。
【０００３】
このような二次電池を内蔵する携帯型電子機器には、内蔵する個々の電池仕様に応じた充電器が用意されている。このような充電器の多くはＡＣアダプターと呼ばれ、商用電源（例えば、ＡＣ１００Ｖ、５０／６０Ｈｚ）をＡＣ５乃至１０Ｖ程度に減圧する小型変圧器と、当該減圧された交流電圧を直流電圧に整流するダイオード等とから構成されている。
【０００４】
しかし、携帯型電子機器に内蔵されている二次電池は、その技術仕様として最大許容充電電流値が設定されており、放電状態からフル充電状態にするには通常数時間の充電時間を必要としている。
【０００５】
このため、内蔵電池がフル充電されていない状態で外出せざるを得なかった場合や、外出中に携帯型電子機器を予定時間以上使用した場合には、途中で電池切れを起こしてしまう場合があった。このことから、携帯型電子機器によっては、内蔵電池の他に、携帯型電子機器のコネクタに外部電池を接続することにより最大使用時間を延ばすようにしたタイプのものが利用されるようになった。そして、このような外部電池も、内蔵電池と同様に二次電池とすることにより、繰り返し充電可能にしている例が見られる。
【０００６】
このような外部電池に二次電池を使用し充電可能にする例として、特開２００４−１５９３２（特許文献１）は、携帯電話機が備えるコネクタに外部接続可能な携帯型充電器であって、その内部に二次電池１３と、当該二次電池１３を充電する充電器１５と、携帯電話機の内蔵電池を充電するための外部電圧供給手段１７と、を備えた携帯電話機用携帯型充電器を開示している。そして、この携帯電話機用携帯型充電器には、当該携帯電話機に付属する専用の充電器（ＡＣアダプタ）２０を接続するようにしているのである。
【特許文献１】特開２００４−１５９３２
【発明の開示】
【発明が解決しようとする課題】
【０００７】
しかし、特許文献１に記載された携帯電話機用携帯型充電器においては、携帯電話機に付属している専用のＡＣアダプタの直流出力電圧を降圧させて二次電池（外部電池）の充電用電圧を作り、そして、当該充電用電圧をスイッチングレギュレータ（外部電圧供給手段）を用いて昇圧し、携帯電話機の内蔵電池への充電電圧を作るようにしている。ここで、この特許文献１に記載の携帯型充電器は、最初に携帯電話機内の内蔵電池を充電し、その後当該内蔵電池の充電が完了した時点で当該携帯型充電器内の二次電池の充電を行うようにしている。
【０００８】
このため、この従来技術に係る携帯型充電器においては、携帯電話機内の内蔵電池と携帯型充電器内の二次電池を同時に充電することはできない。従って、長期の充電時間を必要とする。このため、充電途中で外出せざるを得なかった場合、この携帯型充電器内の二次電池は、放電の状態のままとなり、携帯電話機と共にこの携帯型充電器を持参しても役に立たない場合が多い。
また、携帯電話機に付属している専用のＡＣアダプタの直流出力電圧を降圧下ＤＣ４．５Ｖをスイッチングレギュレータにより昇圧し、携帯電話機の内蔵電池を充電するための充電電圧としてＤＣ５．４Ｖを作るようにしているので、この携帯型充電器は、回路構成が複雑となり、また磁性体を必要とするインダクタＬ１を含めて部品点数が多くなることから長大重厚となって携帯には適さないばかりか、コストの低減化を妨げていたのである。
【０００９】
本発明は、上記従来型充電器の種々の課題に鑑みて成されたものであり、携帯電子機器の動作可能時間を大幅に長期化させるために二次電池を搭載した充電器において、充電時間の短縮化、充電回路の簡易化による小型軽量化及びコストの低減化を実現した携帯電子機器用充電器を提供することを目的とする。
【課題を解決するための手段】
【００１０】
このため、本発明は、その第１の形態として、携帯電子機器の内蔵電池を充電する充電器であって、外部から第１の値の直流電圧を受電する第１のコネクタ手段と、前記第１の値の直流電圧から所定値だけ低い第２の値の直流電圧を生じさせる電圧降下手段と、前記電圧降下手段の出力側に一方の端子が接続された電流制限抵抗手段と、前記電流制限抵抗手段の他方の端子に接続された二次電池手段と、前記電流制限抵抗手段の他方の端子に接続され、前記第２の値の直流電圧を降圧して前記携帯電子機器の内蔵電池を充電させるために必要な第３の値の直流電圧を発生する安定化電源手段と、前記携帯電子機器が備えるコネクタに嵌合し、前記安定化電源手段の出力電圧を前記携帯電子機器に供給する第２のコネクタ手段と、の各手段を備えたことを特徴とする携帯電子機器用充電器を提供するものである。
【００１１】
本発明は、さらに、その第２の形態として、携帯電子機器の内蔵電池を充電するＡＣアダプタ型の充電器であって、商用電源を第１の値の直流電圧に変換するインバータ手段と、前記第１の値の直流電圧から所定値だけ低い第２の値の直流電圧を生じさせる電圧降下手段と、前記電圧降下手段の出力側に一方の端子が接続された電流制限抵抗手段と、前記電流制限抵抗手段の他方の端子に接続された二次電池手段と、前記電流制限抵抗手段の他方の端子に接続され、前記第２の値の直流電圧を降圧して前記携帯電子機器の内蔵電池を充電させるために必要な第３の値の直流電圧を発生する安定化電源手段と、前記携帯電子機器が備えるコネクタに嵌合し、前記安定化電源手段の出力電圧を前記携帯電子機器に供給する第２のコネクタ手段と、の各手段を備えたことを特徴とする携帯電子機器用充電器を提供するものである。
【００１２】
このように、本発明に係る携帯電子機器用充電器においては、第１の値の直流電圧から電圧降下手段により第２の値の直流電圧に降圧させている。そして、この電圧降下手段は、順方向に接続された１又は複数のダイオードにより構成したので、簡易且つ安定性に優れた二次電池の充電電圧を作ることを可能にしたのである。
【００１３】
また、この第２の値の直流電圧には電流制限抵抗の一方の端子が接続され、当該電流制限抵抗手段の他方の端子には、二次電池と共に、前記第２の値の直流電圧を降圧して前記携帯電子機器の内蔵電池を充電させるために必要な第３の値の直流電圧を発生する安定化電源手段が接続されるので、本携帯電子機器用充電器は、携帯電子機器の内蔵電池と上記二次電池とを同時に充電することを可能とし、充電時間の短縮化を可能にしたのである。
【００１４】
ところで、この電流制限抵抗手段の抵抗値は、二次電池のフル充電時における充電電流の値が当該二次電池の最大許容充電電流値の１０分の１以下になるように設定されるので、充電時間の短縮化を図りつつ二次電池の性能を損なわせることを防止しているのである。
【００１５】
ここで、本携帯電子機器用充電器に用いられる二次電池は、例えば、ニッケル水素電池、リチウムイオン電池又はニッケルカドニウム電池である。
【００１６】
また、前記安定化電源手段は、電圧を昇圧でなく降下させれば良いことから、シリーズレギュレータ方式の安定化電源を使用する。そして、この安定化電源手段は、その出力電流が前記携帯電子機器の内蔵電池の最大許容充電電流値以下になるように過電流防止回路を備えるようにすると良い。
【００１７】
このため、この安定化電源手段としては、携帯電子機器の内蔵電池の定格電圧の値に対応して、三端子安定化電圧出力素子と、当該三端子安定化電圧出力素子のグラウンド端子及びグラウンド線の間に接続されたダイオード手段と、から構成するようにしている。但し、内蔵電池の定格電圧の値によっては、三端子安定化電圧出力素子だけで良い。
【００１８】
また、本携帯電子機器用充電器においては、前記第２の値の直流電圧と前記第３の値の直流電圧間には、充電電流の有無を視覚的にモニターする充電モニター手段が接続される。そして、この充電モニター手段は、発光ダイオードと当該発光ダイオードに流れる電流を制限するための抵抗とにより構成される。これにより、携帯電子機器内の内蔵電池と本充電器内の二次電池が共にフル充電された否かの視覚的認識を可能にしたのである。
【００１９】
ところで、本携帯電子機器用充電器の一例として、前記二次電池のフル充電時の定格電圧値がＤＣ７．０Ｖの場合、前記第１の値の直流電圧はＤＣ９．０Ｖ（定格値）であり、前記第２の値の直流電圧はＤＣ７．２Ｖ（定格値）であり、前記第３の直流電圧はＤＣ５．４Ｖ（定格値）であり、前記電流制限抵抗手段を１Ωの抵抗素子とする。
【発明の効果】
【００２０】
本発明に係る携帯電子機器用充電器は、二次電池を搭載することにより携帯電子機器の動作可能時間を大幅に長期化させ、携帯電子機器の内蔵電池とこの二次電池とを同時に充電できるので充電時間を短縮化させ、また、本携帯電子機器用充電器においては、単に複数のダイオードの組み合わせによる電圧降下手段により第１の値の直流電圧から二次電池を充電するための第２の値の直流電圧を作り、さらに、この第２の値の直流電圧を降圧させることにより、携帯電子機器の内蔵電池を充電するに必要な第３の値の直流電圧を作っているので、その充電特性が長期間安定で回路構成が簡単で低コストな携帯電子機器用充電器を提供することを実現したのである。
【発明を実施するための最良の形態】
【００２１】
以下、本発明に係る携帯電子機器用充電器の実施の形態を、図面の記載に基づいて詳しく説明する。
【００２２】
図１は、本発明に係る携帯電子機器用充電器１の第１の形態を説明するブロック図を示す。この第１の形態に係る本充電器１は、商用電源を所定の直流電圧に変換するためのＡＣアダプターを含まず、外部から例えばＤＣ９Ｖ程度の第１の値の電圧を受電する。
【００２３】
このため、図１に示す本充電器１は、外部のＡＣアダプタ３から第１の値の直流電圧Ｖ１を受電する第１のコネクタ１１を有する。そして、この直流電圧Ｖ１は、電圧降下手段１２において、直流電圧Ｖ１よりも所定電圧（例えば１乃至数Ｖ）だけ低い第２の値の直流電圧Ｖ２を生じさせる。
【００２４】
電圧降下手段の出力側には、電流制限抵抗１３と二次電池１４が接続される。また、電流制限抵抗１３には、充電電流の有無を視覚的に認識するためのモニター手段１７が接続される。そして、電流制限抵抗手段１３の出力側端子には、安定化電源手段１５が接続され、前記した第２の値の直流電圧Ｖ２を降圧して携帯電話機等の携帯電子機器２の内蔵電池（図示せず）を充電させるために必要な第３の値の直流電圧Ｖ３を発生させ、携帯電子機器２が備えるコネクタに嵌合する第２のコネクタ１６を介して直流電圧Ｖ３を携帯電子機器２に供給するのである。
【００２５】
ここで、電圧降下手段１２は、後に詳しく説明するように、１又は複数のダイオードにより構成するようにしている。すなわち、ダイオードのアノード−カソード間の順方向電圧降下を利用するのである。これにより、発明に係る携帯電子機器用充電器１においては、簡易且つ安定性に優れた二次電池の充電電圧を作ることを可能にしたのである。
【００２６】
また、この第２の値の直流電圧Ｖ２には電流制限抵抗１３が接続され、この電流制限抵抗１３の他方の端子側（出力側）には、二次電池１４と共に携帯電子機器２の内蔵電池を充電させるために必要な第３の値の直流電圧Ｖ３を発生する安定化電源手段１５が接続されるので、本携帯電子機器用充電器１は、携帯電子機器２の内蔵電池と二次電池１４とを同時に充電することを可能とし、充電時間の短縮化を実現したのである。
【００２７】
このように、本発明に係る本携帯電子機器用充電器１においては、ＡＣアダプター１からの直流電圧Ｖ１から二次電池１４を充電するための直流電圧Ｖ２の作成と、直流電圧Ｖ２から携帯電子機器２の内蔵電池を充電するための直流電圧Ｖ３の作成を、それぞれ電圧降下させるだけで行うようにしているので、回路構成を簡易に且つ堅牢に構成できたのである。また、電流制限抵抗１３により、二次電池１４の充電電流と携帯電子機器２の内蔵電池への充電電流を制限しているので、ＡＣアダプター３の出力電力容量を制限できるのである。尚、電流制限抵抗１３の作用については後述する。
【００２８】
図２は、本発明に係る携帯電子機器用充電器１の第２の形態を説明するブロック図を示す。この第２の形態に係る本充電器１は、商用電源を所定の直流電圧に変換するための図１に示したＡＣアダプター３を含む構成としている。
このため、図１に示す本充電器１は、電源コンセント１９を含み、商用電源ＡＣ１００Ｖ、５０／６０Ｈｚを第１の値の直流電圧Ｖ１（例えば、ＤＣ９Ｖ）に変換するためのインバータ手段１８を備えることとなる。そして、その他の構成は、図１で説明した上記第１の携帯と全く同じであり、重複する説明は省略する。
【００２９】
図３は、図２で示したインバータ手段１８の回路構成の例を示す。
図３に示すように、インバータ手段１８は、商用電源のＡＣ１００ＶをＡＣ数Ｖ乃至ＡＣ１０Ｖ程度に降圧させる絶縁型小型変圧器１８ａと、この小型変圧器18ａの二次巻線からの出力電圧を全波整流（半波整流でも可）する整流器１８ｂと、全波整流された脈流電圧波形を整形する平滑するためのインダクタ１８ｃ及び平滑コンデンサ１８ｄとから構成される。尚、インダクタ１８ｃは、低抵抗値の抵抗素子であってもよい。これにより、商用電源ＡＣ１００Ｖ、５０／６０Ｈｚを比較的平滑な第１の値の直流電圧Ｖ１に変換するのである。
【００３０】
図４は、図１及び図２のブロック図で示した本発明の携帯電子機器用充電器１の主要な構成要素の具体的回路を示す。
図４に示した本携帯電子機器用充電器１の主要な構成要素は、第１の値の直流電圧Ｖ１から所定値だけ低い第２の値の直流電圧Ｖ２を生じさせる電圧降下手段１２、電圧降下手段１２の出力側に一方の端子が接続された電流制限抵抗手段１３、二次電池１４、及び第２の値の直流電圧Ｖ２を降圧して携帯電子機器２内の内蔵電池を充電させるために必要な第３の値の直流電圧Ｖ３を発生する安定化電源手段１５と、から成る。
【００３１】
ここで、本充電器１における電圧降下手段１２は、図４の例では、３つのダイオード１２ａ、１２ｂ、１２ｃとから構成されている。当然のことながら、電圧降下手段１２を構成するダイオードは、第１の値の直流電圧Ｖ１及び第２の値の直流電圧Ｖ２によって、その数と異なる技術的特性のダイオードを選択することとなる。
【００３２】
図４の説明をより具体的にするために、例えば、外部（図１のＡＣアダプタ３）又はインバータ手段１８（図２）から供給される直流電圧Ｖ１がＤＣ９．０Ｖ、二次電池１４の充電電圧である直流電圧Ｖ２が７．２Ｖ、携帯電子機器２の内蔵電池の充電電圧値が５．４Ｖであると仮定する。この場合、電圧降下手段１２は、１．８Ｖだけ電圧降下させる必要があるので、ダイオード１２ａは、アノード・カソード間の順方向電圧降下が０．３Ｖのショットキーバリアダイオードを使用する。そして、ダイオード１２ｂ及びダイオード１２ｃは、それぞれアノード・カソード間の順方向電圧降下が０．７５ＶのＰＮ接合型ダイオードを使用する。これによって、電圧降下手段１２は、ＤＣ９Ｖの直流電圧Ｖ１を１．８Ｖだけ電圧降下させたＤＣ７．２Ｖの直流電圧Ｖ２を作ることができるのである。
【００３３】
このように構成された電圧降下手段１２の出力であるダイオード１２ｃのカソード端子には、電流制限抵抗１３が接続される。ここで、二次電池１４として、例えば、ニッケル水素電池（Ｎｉ−ＭＨ、フル充電時の定格電圧がＤＣ７．２Ｖ、最大許容充電電流が２５００ｍＡ）を使用し、そのフル充電時における充電電流の値が最大許容充電電流値（２５００ｍＡ）の１０分の１以下とする場合は、電流制限抵抗１３は、抵抗値１Ωの抵抗を使用することとなる。
【００３４】
この場合、二次電池の端子電圧が、その充電量の増大に応じて、ＤＣ５．５Ｖ、ＤＣ６．０Ｖ、ＤＣ６．５Ｖ及びＤＣ７．０Ｖになった場合、それぞれの端子電圧時における充電電流は、１．７Ａ、１．２Ａ、０．７Ａ及び０．２Ａとなり、放電量が大きいときには、大きな充電電流が流れ込み、充電量が増大するにつれて充電電流が減少することとなる。そして、二次電池１４のフル充電時における充電電流は、最大許容充電電流値（２５００ｍＡ）の１０分の１以下に維持されるのである。
【００３５】
ところで、上記の説明では、二次電池１４としてニッケル水素電池を使用したが、本充電器１において使用可能な二次電池１４は、この他、リチウムイオン電池又はニッケルカドニウム電池であってもよい。
このようにして電圧降下手段１２の出力電圧Ｖ２は、電流制限抵抗１３を介して二次電池１４の充電電圧として使用されるが、出力電圧Ｖ２は、電流制限抵抗１３を介して安定化電源手段１５にも供給される。
【００３６】
ここで、安定化電源手段１５は、通常、シリーズレギュレータ方式の安定化電源が使用される。これは、携帯電子機器２の内蔵電池を充電するための充電電圧Ｖ３は電圧降下手段１２の出力電圧Ｖ２よりも所定電圧だけ低いことから昇圧する必要がないからである。すなわち、本充電器１においては、二次電池１４を、携帯電子機器２の内蔵電池の定格電圧よりも所定電圧だけ高い定格電圧のものを採用するのである。
【００３７】
図４に示す安定化電源手段１５は、携帯電子機器２の内蔵電池の定格電圧が、ＤＣ５．４Ｖであった場合、例えば、ＤＣ５Ｖ出力定格の３端子レギュレータ（３端子安定化電圧出力素子）１５ａと、当該三端子レギュレータのグラウンド端子とグラウンド線の間に接続されたダイオード１５ｂとから構成される。ここで、ダイオード１５ｂは、そのアノード・カソード間の順方向電圧降下が０．４Ｖの特性のものを使用する。ところで、安定化電源手段１５は、その出力電流が携帯電子機器２の内蔵電池の最大許容充電電流値以下になる特性の過電流防止回路（図示せず）を備えることが望ましい。
【００３８】
本発明の携帯電子機器用充電器１においては、さらに、充電電流の有無を視覚的にモニターする充電モニター手段１７が接続される。この充電モニター手段１７は、発光ダイオード１７ａと発光ダイオード１７ａに流れる電流を制限するための抵抗１７ｂとにより構成される。ここで、発光ダイオード１７ａとこれに直列接続される抵抗１７ｂは、電圧降下手段１２を構成するダイオード１２ｂのアノード端子と電流制限抵抗１３の出力側端子間に接続されるので、電流制限抵抗１３に所定値以上の充電電流が流れた場合に、発光ダイオード１７ａは、発光することとなる。
【００３９】
図５は、図４で示した安定化電源手段の他の構成例を示すものである。図５に示す安定化電源手段１５は、３端子レギュレータ（３端子安定化電圧出力素子）を使用せず、ディスクリート部品で構成される。即ち、電流制限抵抗１３の出力側端子に、ＰＮＰ型トランジスタ１５ｄのコレクタ端子が接続され、トランジスタ１５ｄのコレクタ端子とベース端子間に抵抗１５ｆが接続される。そして、トランジスタ１５ｄのベース端子は、ＤＣ６Ｖのツェナーダイオード１５ｅのカソード端子が接続され、ツェナーダイオード１５ｅのアノード端子は、グラウンド線に接続されるのである。これにより、ＰＮＰ型トランジスタ１５ｄのベース・エミッタ間は、概ね０．６Ｖだけの電圧降下が維持されることから電流制限抵抗１５ｇへは、第３の値の直流電圧５．４Ｖが出力されることとなるのである。コンデンサ１５Ｃは、出力電圧波形平滑用のコンデンサである。
【００４０】
以上、詳しく説明したように、本発明に係る携帯電子機器用充電器１においては、第１の値の直流電圧から所定値だけ低い第２の値の直流電圧を生じさせる電圧降下手段と、前記電圧降下手段の出力側に一方の端子が接続された電流制限抵抗手段と、前記電流制限抵抗手段の他方の端子に接続された二次電池手段と、前記電流制限抵抗手段の他方の端子に接続され、前記第２の値の直流電圧を降圧して前記携帯電子機器２の内蔵電池を充電させるために必要な第３の値の直流電圧を発生する安定化電源手段と、前記携帯電子機器２が備えるコネクタに嵌合し、前記安定化電源手段の出力電圧を前記携帯電子機器２に供給する第２のコネクタ手段とを備えたことにより、携帯電子機器２内の内蔵電池と本充電器１内に備えた二次電池の充電を同時に行うことにより充電時間を短縮化し、さらに、本充電器１においては、二次電池を充電するための電圧（第２の値の直流電圧）と携帯電子機器２内の内蔵電池を充電するための電圧（第３の値の直流電圧）とを降圧して作るようにしたので、充電回路の簡易化による小型軽量化及びコストの低減化を実現したのである。
【図面の簡単な説明】
【００４１】
【図１】本発明に係る携帯電子機器用充電器１の第１の形態を説明するブロック図を示す。
【図２】本発明に係る携帯電子機器用充電器１の第２の形態を説明するブロック図を示す。
【図３】図２で示したインバータ手段１８の回路構成の例を示す。
【図４】図１及び図２のブロック図で示した本発明の携帯電子機器用充電器１の主要な構成要素の具体的回路を示す。
【図５】図４で示した安定化電源手段の他の構成例を示すものである。
【符号の説明】
【００４２】
１    ：携帯電子機器用充電器
２    ：携帯電子機器（携帯電話機）
３    ：ＡＣアダプター
１１  ：第１のコネクタ
１２  ：電圧降下手段
１３  ：電流制限抵抗
１４  ：二次電池
１５  ：安定化電源手段
１６  ：第２のコネクタ
１７  ：モニター手段
１８  ：インバータ手段
【図１】
2007089309.tif 000003
【図２】
2007089309.tif 000004
【図３】
2007089309.tif 000005
【図４】
2007089309.tif 000006
【図５】
2007089309.tif 000007